【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
報酬に関する報酬情報をユーザの端末に送信するサーバであって、
前記ユーザの端末から前記ユーザが予約する施設の予約情報と画像とを受信する通信部と、
前記施設の位置に関する第１位置情報と、前記画像に基づく前記第１位置情報とは異なる第２位置情報とに基づき、前記通信部を介して、前記ユーザの端末に前記報酬情報を送信する制御部とを備える。
【請求項２】
請求項１に記載のサーバであって、
前記画像は、前記施設に関する画像である。
【請求項３】
請求項１または請求項２に記載のサーバであって、
前記ユーザの端末からの前記画像の送信に基づいて前記報酬情報が前記ユーザの端末に送信されることを示す情報を、前記ユーザの端末に前記通信部を介して送信する。
【請求項４】
請求項１から請求項３のいずれか一項に記載のサーバであって、
インターネットを介して前記画像を閲覧可能な状態にすると、前記報酬を変更することを示す情報を前記ユーザの端末に前記通信部を介して送信する。
【請求項５】
請求項１から請求項４のいずれか一項に記載のサーバであって、
インターネットを介して前記画像が閲覧可能になっていることを示す閲覧情報を前記通信部を介して受信し、
前記閲覧情報に基づいて、前記閲覧情報を受信しない場合に前記ユーザの端末に対して送信する前記報酬に関する第１報酬情報とは異なる第２報酬情報を前記通信部を介して送信する。
【請求項６】
請求項５に記載のサーバであって、
前記画像が前記施設に関する画像である場合、前記第２報酬情報とは異なる第３報酬情報を前記通信部を介して送信する。
【請求項７】
請求項１から請求項６のいずれか一項に記載のサーバであって、
前記第２位置情報は、前記画像に関連付けられたデータに基づく位置情報である。
【請求項８】
請求項１から請求項７のいずれか一項に記載のサーバであって、
前記第２位置情報は、前記画像の被写体を認識することによって得られた情報である。
【請求項９】
請求項１から請求項７のいずれか一項に記載のサーバであって、
前記画像は、前記ユーザの端末に備える撮像部によって撮像された画像である。
【請求項１０】
請求項１から請求項９のいずれか一項に記載のサーバであって、
前記第１位置情報は、位置の範囲が設定された情報である。
【請求項１１】
請求項１０に記載のサーバであって、
前記第１位置情報は、前記施設のコンピュータによって前記位置の範囲が設定される。
【請求項１２】
請求項１から請求項９のいずれか一項に記載のサーバであって、
前記ユーザ端末の位置に関する情報である第３位置情報を前記ユーザの端末から前記通信部を介して受信し、
前記第１位置情報と、前記第２位置情報と、前記第３位置情報とに基づいて、前記ユーザの端末に前記報酬情報を前記通信部を介して送信する。
【請求項１３】
請求項１２に記載のサーバであって、
前記第１位置情報と前記第２位置情報とに基づく第１位置関係と、前記第１位置情報と前記第３位置情報とに基づく第２位置関係とに基づいて、前記ユーザの端末に前記報酬情報を前記通信部を介して送信する。
【請求項１４】
請求項１３に記載のサーバであって、
前記第１位置関係が第１閾値よりも大きく、前記第２位置関係が第２閾値よりも大きい場合、前記ユーザの端末に前記報酬情報を前記通信部を介して送信し、
前記第２閾値は、前記第１閾値よりも大きい。
【請求項１５】
請求項１２から請求項１４のいずれか一項に記載のサーバであって、
前記第１位置情報は、前記ユーザの端末のメッセージングアプリの実行に基づいて取得される。
【請求項１６】
請求項１から請求項１５のいずれか一項に記載のサーバであって、
前記報酬情報は、前記施設のサービスに利用可能な情報である。
【請求項１７】
請求項１から請求項１５のいずれか一項に記載のサーバであって、
前記報酬情報は、商品の購入や、サービスの利用に用いることができるポイント、電子マネー、仮想通貨、およびクーポン券のうち少なくともいずれか１つである。
【請求項１８】
請求項１から請求項１７のいずれか一項に記載のサーバであって、
前記ユーザの端末を示す第１ＩＤ情報が変換された、前記第１ＩＤ情報とは異なる第２ＩＤ情報を前記施設に関連するサーバに前記通信部を介して送信する。
【請求項１９】
請求項１８に記載のサーバであって、
前記第１ＩＤ情報は、前記施設に関連するサーバと前記ユーザの端末とのメッセージの送受信を行うための情報であり、
前記第１ＩＤ情報に基づくメッセージによって前記予約情報を前記通信部を介して受信する。
【請求項２０】
報酬に関する報酬情報をユーザの端末に送信するサーバの情報送信方法であって、
前記ユーザの端末から前記ユーザが予約する施設の予約情報を通信部により受信し、
前記ユーザの端末から画像を前記通信部により受信し、
前記施設の位置に関する第１位置情報と、前記画像に基づく前記第１位置情報とは異なる第２位置情報とに基づき、前記ユーザの端末に対して前記報酬情報を前記通信部により送信する。
【請求項２１】
報酬に関する報酬情報をユーザの端末に送信するサーバのコンピュータに実行させるプログラムであって、
前記ユーザの端末から前記ユーザが予約する施設の予約情報を通信部により受信する処理と、
前記ユーザの端末から画像を前記通信部により受信する処理と、
前記施設の位置に関する第１位置情報と、前記画像に基づく前記第１位置情報とは異なる第２位置情報とに基づき、前記ユーザの端末に対して前記報酬情報を前記通信部により送信する処理とを実行させる。
【請求項２２】
報酬に関する報酬情報をサーバから受信するユーザの端末の情報受信方法であって、
前記ユーザが予約する施設の予約情報を通信部により送信し、
画像を前記通信部により送信し、
前記施設の位置に関する第１位置情報と、前記画像に基づく前記第１位置情報とは異なる第２位置情報とに基づく、前記報酬情報を前記通信部により受信する。
【請求項２３】
報酬に関する報酬情報をサーバから受信するユーザの端末であって、
前記ユーザが予約する施設の予約情報と画像とを送信する制御を行う制御部と、
前記施設の位置に関する第１位置情報と、前記画像に基づく前記第１位置情報とは異なる第２位置情報とに基づく、前記報酬情報を受信する通信部とを備える。
【請求項２４】
報酬に関する報酬情報をサーバから受信するユーザの端末のコンピュータに実行させるプログラムであって、
前記ユーザが予約する施設の予約情報を通信部により送信する処理と、
画像を前記通信部により送信する処理と、
前記施設の位置に関する第１位置情報と、前記画像に基づく前記第１位置情報とは異なる第２位置情報とに基づく、前記報酬情報を前記通信部により受信する処理とを実行させる。
【手続補正２】
【補正対象書類名】明細書
【補正対象項目名】０００４
【補正方法】変更
【補正の内容】
【０００４】
本開示の第１の態様によると、報酬に関する報酬情報をユーザの端末に送信するサーバであって、ユーザの端末からユーザが予約する施設の予約情報と画像とを受信する通信部と、施設の位置に関する第１位置情報と、画像に基づく第１位置情報とは異なる第２位置情報とに基づき、通信部を介して、ユーザの端末に報酬情報を送信する制御部とを備える。
本発明の第２の態様によると、報酬に関する報酬情報をユーザの端末に送信するサーバの情報送信方法であって、ユーザの端末からユーザが予約する施設の予約情報を通信部により受信し、ユーザの端末から画像を通信部により受信し、施設の位置に関する第１位置情報と、画像に基づく第１位置情報とは異なる第２位置情報とに基づき、ユーザの端末に対して報酬情報を通信部により送信する。
本発明の第３の態様によると、報酬に関する報酬情報をユーザの端末に送信するサーバのコンピュータに実行させるプログラムであって、ユーザの端末からユーザが予約する施設の予約情報を通信部により受信する処理と、ユーザの端末から画像を通信部により受信する処理と、施設の位置に関する第１位置情報と、画像に基づく第１位置情報とは異なる第２位置情報とに基づき、ユーザの端末に対して報酬情報を通信部により送信する処理とを実行させる。
報酬に関する報酬情報をサーバから受信するユーザの端末の情報受信方法であって、ユーザが予約する施設の予約情報を通信部により送信し、画像を通信部により送信し、施設の位置に関する第１位置情報と、画像に基づく第１位置情報とは異なる第２位置情報とに基づく、報酬情報を通信部により受信する。
本発明の第５の態様によると、報酬に関する報酬情報をサーバから受信するユーザの端末であって、ユーザが予約する施設の予約情報と画像とを送信する制御を行う制御部と、施設の位置に関する第１位置情報と、画像に基づく第１位置情報とは異なる第２位置情報とに基づく、報酬情報を受信する通信部とを備える。
本発明の第６の態様によると、報酬に関する報酬情報をサーバから受信するユーザの端末のコンピュータに実行させるプログラムであって、ユーザが予約する施設の予約情報を通信部により送信する処理と、画像を通信部により送信する処理と、施設の位置に関する第１位置情報と、画像に基づく第１位置情報とは異なる第２位置情報とに基づく、報酬情報を通信部により受信する処理とを実行させる。